(57)【特許請求の範囲】
【請求項１】
少なくとも1つの貫通孔を有する支持部材に、ガイドレールを固定するガイドレール固定装置において、
前記ガイドレールに固定され、且つ前記支持部材の1つの側面から前記支持部材の対応する貫通孔に係合される少なくとも1つの係合柱を有する取付部材と、
前記取付部材にスライド可能に取り付けられ、且つ前記支持部材の他の側面に当接する制限壁を有する操作部材と、
前記取付部材に固定される係止部材と、
一端が前記操作部材に固定され、他の一端が前記係止部材に係止され、且つ前記取付部材に対してスライド可能な固定部材と、
前記取付部材と前記操作部材とを連接する弾性部材と、を備えているガイドレール固定装置であって、
前記係止部材を弾性変形させて前記固定部材から分離させる時、前記操作部材を操作することで前記制限壁を前記支持部材から分離させ、前記取付部材の前記係合柱を前記支持部材の貫通孔から退出させることを特徴とするガイドレール固定装置。
【請求項２】
前記弾性部材は、両端にフックが設置された螺旋状スプリングであって、前記取付部材及び前記操作部材に前記弾性部材のフックを引っ掛けるフック部が形成されることを特徴とする請求項１に記載のガイドレール固定装置。
【請求項３】
前記操作部材の前記制限壁に、前記支持部材の前記貫通孔と対応し、且つ前記取付部材の前記係合柱が貫通し得る少なくも1つの貫通孔が設置されることを特徴とする請求項１に記載のガイドレール固定装置。
【請求項４】
前記操作部材の制限壁に操作部が設置されることを特徴とする請求項１に記載のガイドレール固定装置。
【請求項５】
前記係止部材は、金属弾性シートであることを特徴とする請求項１に記載のガイドレール固定装置。
【請求項６】
前記係止部材の一端が前記取付部材に固定され、他の一端には前記固定部材を係止するための少なくとも１つの係合フックが形成されることを特徴とする請求項５に記載のガイドレール固定装置。
【請求項７】
前記係止部材の前記係合フックの相対する２つの側縁にそれぞれ第一係止部及び第二係止部が形成され、前記固定部材が前記第一係止部で係止されるとき、前記ガイドレール固定装置がロック状態になり、前記固定部材が前記第二係止部で係止されるとき、前記ガイドレール固定装置がリリース状態になることを特徴とする請求項６に記載のガイドレール固定装置。
【請求項８】
前記取付部材にガイドスロットが設置され、前記固定部材が前記ガイドスロットに沿ってスライディングすることを特徴とする請求項１に記載のガイドレール固定装置。
【請求項９】
前記係止部材における前記取付部材に向かう片側に、ボタンが配置されることを特徴とする請求項１に記載のガイドレール固定装置。
【請求項１０】
前記操作部材に、少なくとも１つの弾性押圧部を有する押圧部材が固定され、前記弾性押圧部が前記取付部材の方向へ前記係止部材を押圧することを特徴とする請求項１に記載のガイドレール固定装置。
【発明の詳細な説明】
【技術分野】
【０００１】
本発明は、ガイドレール固定装置に関するものである。
【背景技術】
【０００２】
ガイドレールは、広く利用される装置であって、引出しや棚式サーバーラックなどのような、相対運動している二つの部材を連接する事に用いられる。
【０００３】
よく見かけるガイドレールは、三段式ガイドレールであって、第一ガイドレール、第二ガイドレール、及び第三ガイドレールを備えている。引出しを例に挙げると、第一ガイドレールはキャビネットの支持部材に付設され、第三ガイドレールは引出しの側面に付設され、第二ガイドレールは前記第一ガイドレールと前記第三ガイドレールとの間で連接される。この構成によって、前記引出しの移動距離を伸ばすと共に、前記第三ガイドレール及び前記第二ガイドレールが、前記第一ガイドレールの軸方向に沿って前記第一ガイドレールに対して相対的にスライド可能であるため、引出しが前記ガイドレールによってスライド式に開閉される。
【０００４】
サーバーにおいて、第一ガイドレール及び第三ガイドレールを、それぞれ、キャビネットの支持部材及びサーバーケースに付設するために、複数のねじ及びドライバーなどの工具を必要とするため、ガイドレールの取付操作及び取り外し操作が複雑である。
【発明の概要】
【発明が解決しようとする課題】
【０００５】
本発明の目的は、上記の課題を解決し、ガイドレールを容易に取り付けたり、取り外したりすることができるガイドレール固定装置を提供することである。
【課題を解決するための手段】
【０００６】
前記目的を達成するため、本発明に係るガイドレール固定装置によれば、少なくとも1つの貫通孔を有する支持部材に、ガイドレールを固定することに用いられ、前記ガイドレールに固定され、且つ前記支持部材の1つの側面から前記支持部材の対応する貫通孔に係合される少なくとも1つの係合柱を有する取付部材と、前記取付部材にスライド可能に取り付けられ、且つ前記支持部材の他の側面に当接する制限壁を有する操作部材と、前記取付部材に固定された係止部材と、一端が前記操作部材に固定され、他の一端が前記係止部材に係止され、且つ前記取付部材に対してスライド可能な固定部材と、前記取付部材と前記操作部材とを連接する弾性部材と、を備え、前記係止部材を弾性変形させて前記固定部材から分離させる時、前記操作部材を操作することで前記制限壁を前記支持部材から分離させ、前記取付部材の前記係合柱を前記支持部材の貫通孔から退出させる。
【発明の効果】
【０００７】
本発明に係るガイドレール固定装置において、取付部材及び操作部材は相対運動することができる。また、係止部材が固定部材を係止することにより、前記取付部材及び前記操作部材を固定できる。従って前記ガイドレールを前記支持部材に容易に取り付けたり、取り外したりすることができる。
【図面の簡単な説明】
【０００８】
【図１】本発明の実施形態に係る、ガイドレール固定装置及び支持部材の立体分解図である。
【図２】本発明の実施形態に係る、ガイドレール固定装置及び支持部材の立体組立図である。
【図３】本発明の実施形態に係る、ガイドレール固定装置のロック状態を示す図である。
【図４】本発明の実施形態に係る、ガイドレール固定装置のリリース状態を示す図である。
【発明を実施するための形態】
【０００９】
図１及び図２を参照すると、本発明の実施形態に係るガイドレール固定装置は、ガイドレール８０を支持部材９０に固定させる為に用いられ、取付部材１０、操作部材２０、係止部材３０、押圧部材４０、一対の固定部材５０、ボタン６０、及び弾性部材７０を備えている。
【００１０】
前記ガイドレール８０は略Ｃ字状の断面を有し、側壁８２及び２つのフランジ８４を備えている。該フランジ８４は、前記側壁８２の上下両辺から垂直、且つ同一方向に、それぞれ延在する。前記２つのフランジ８４が延在する側と反対側の前記側壁面に、複数の固定柱８４２が設置される。
【００１１】
前記支持部材９０の上部から下部に亘り、複数の貫通孔９２が開設される。
【００１２】
前記取付部材１０は、側壁１２と、該側壁１２の上下両辺から垂直、且つ同一方向に、それぞれ延在する２つのフランジ１４と、前記側壁１２の第一端部から、前記フランジ１４が延在する方向と同一方向へ垂直に延在する端壁１６と、前記側壁１２の第二端部から、前記フランジ１４が延在する方向と同一方向へ垂直に延在するフック部１８と、を備えている。前記端壁１６と前記フック部１８との間には、互いに平行な一対のガイドスロット１２２、１つの貫通孔１２４、及び前記ガイドレール８０の複数の固定柱８４２各々と対応する複数の固定孔１２８が設置される。前記側壁１２の複数の固定孔１２８の間には、前記フランジ１４が延在する方向と同一方向へ突出する、複数の固定柱１２６が設置される。前記端壁１６における前記フック部１８と相対さない側の側面には、一対の係合柱１６２が設置され、前記フック部１８には、一対の係合孔１８２が開設される。  
【００１３】
前記操作部材２０は、互いに平行な第一側壁２２及び第二側壁２４と、前記第一側壁２２の下辺から垂直に延在し、且つ前記第二側壁２４の下辺と垂直に連接される底壁２６と、前記第一側壁２２の右辺から前記第二側壁２４の側に向かって垂直に延在する制限壁２８と、前記第二側壁２４の上辺から前記第一側壁２２の側に向かって垂直に延在するフック部２４５と、を備えている。前記第一側壁２２の左辺には略Ｖ字状の開口２２１が開設され、該開口２２１の略Ｖ字溝を挟んだ両側近傍には、それぞれ１つの固定孔２２３が開設される。前記第二側壁２４には、複数の固定孔２４１及び１つの干渉防止孔２４３が開設される。前記フック部２４５には、ノッチ２４５２が形成される。前記制限壁２８には一対の貫通孔２８２が開設され、前記制限壁２８の一辺から前記第一側壁２２が延在する側と反対方向の側に、略Ｕ字状の取っ手２８４が設置される。
【００１４】
本実施形態において、前記係止部材３０は金属弾性シートであって、その一端には取付部３２が形成され、該取付部３２の片側には延在アーム３４が形成される。該延在アーム３４は、その末端で分岐し、それぞれ反対側へ垂直に延在して一対の係合フック３６を形成する。前記取付部３２には、前記取付部材１０の複数の固定柱１２６各々に対応する複数の固定孔３２１が開設される。前記延在アーム３４において前記一対の係合フック３６に分岐する一端には、連接孔３４１が設置される。各々の係合フック３６において、前記取付部３２に向かう側辺には第一係止部３６２が形成され、該第一係止部３６２が形成される側辺と相対する側辺には第二係止部３６４が形成される。
【００１５】
前記押圧部材４０は、取付壁４２及び一対の弾性押圧部４４を備えている。該押圧部材４４は、前記取付壁４２の１つの側縁から延在し、且つ前記取付壁４２との間で鋭角を構成する。前記操作部材２０の複数の固定孔２４１及び１つの干渉防止孔２４３に対応させて、前記取付壁４２にも複数の固定孔４２１及び１つの干渉防止孔４２３が設置される。
【００１６】
前記固定部材５０は、円柱状の頭部、及び該頭部の一端から突出される取付部５２を備えている。
【００１７】
前記ボタン６０は、円柱状の頭部、及び該頭部の一端から突出される取付部６２を備えている。前記ボタン６０の頭部の直径は、前記取付部材１０の貫通孔１２４の直径より小さい。
【００１８】
本実施形態において、前記弾性部材７０は、両端にそれぞれ１つのフック７２が設置された螺旋状スプリングである。
【００１９】
前記ガイドレール固定装置を組み立てるには、まず、前記ボタン６０の取付部６２を前記係止部材３０の連接孔３４１に固定し、前記係止部材３０を前記取付部材１０の側壁１２の内側面に貼り合わせ、前記取付部材１０の複数の固定柱１２６と前記係止部材３０の取付部３２の複数の固定孔３２１とを対応させて固定する。更に、前記ボタン６０の頭部が前記側壁１２の貫通孔１２４を貫通し、前記係止部材３０の一対の係合フック３６は、前記取付部材１０の一対のガイドスロット１２２と対応する。次に、前記押圧部材４０の取付壁４２を前記操作部材２０の第二側壁２４の内側面に貼り合わせ、複数のねじで前記押圧部材４０の取付壁４２の固定孔４２１を貫くことで、前記押圧部材４０を前記操作部材２０に固定する。従って、前記押圧部材４０の取付壁４２の干渉防止孔４２３が、前記操作部材２０の第二側壁２４の干渉防止孔２４３と対応する。前記取付部材１０を、前記操作部材２０の第一側壁２２と第二側壁２４との間にスライド可能に取り付けると、前記操作部材２０の第一側壁２２及び底壁２６が、それぞれ、前記取付部材１０の側壁１２及び下側のフランジ１４と当接する。前記取付部材１０の一対の係合柱１６２は前記操作部材２０の制限壁２８の一対の貫通孔２８２を貫き、前記押圧部材４０の一対の弾性押圧部４４は、前記係止部材３０の一対の係合フック３６と当接する。前記1つの固定部材５０の取付部５２は、前記取付部材１０の側壁１２の上側のガイドスロット１２２を直接貫き、前記操作部材２０の第一側壁２２の上側の固定孔２２３で固定される。該固定部材５０の頭部は、前記固定部材３０の上側の係合フック３６の第一係止部３６２で係止される。残る1つの固定部材５０は、前記操作部材２０の第二側壁２４の干渉防止孔２４３、及び前記押圧部材４０の取付壁４２の干渉防止孔４２３を貫く。該固定部材５０の取付部５２は、前記取付部材１０の側壁１２の下側のガイドスロット１２２を貫き、前記操作部材２０の第一側壁２２の下側の固定孔２２３に固定される。従って、該固定部材５０の頭部は、前記係止部材３０の下側の係合フック３６の第一係止部３６２に係止される。前記弾性部材７０の両端のフック７２を、それぞれ、前記取付部材１０のフック部１８の係合孔１８２、及び前記操作部材２０のフック部２４５のノッチ２４５２に引っ掛ける。
【００２０】
前記ガイドレール固定装置を前記ガイドレール８０に固定するには、前記取付部材１０の側壁１２において、前記係止部材３０が取り付けられる側面と反対側の側面を、前記ガイドレール８０の側壁８２に貼り合わせる。次に、前記ガイドレール８０の複数の固定柱８４２と前記取付部材１０の複数の固定孔１２８とを対応させて固定することにより、前記ガイドレール固定装置を前記ガイドレール８０に固定することができる。
【００２１】
図３及び図４を一緒に参照してください。前記ガイドレール８０を前記支持部材９０に固定する前に、前記ボタン６０を押圧して、前記係止部材３０の一対の係合フック３６を、前記取付部材１０の側壁１２から離れる方向へ反らせる。すると、前記一対の係合フック３６が前記押圧部材４０の一対の弾性押圧部４４を押して、前記弾性押圧部４４が弾性変形する。従って、前記一対の固定部材５０の頭部は、それぞれ、前記係止部材３０の一対の係合フック３６の第一係止部３６２から退出する。前記取っ手２８４を引っ張ることにより、前記操作部材２０は前記一対の固定部材５０と連動する。つまり、前記一対の固定部材５０は、前記取付部材１０の一対のガイドスロット１２２に沿って前記端壁１６に向かってスライディングし、且つ前記弾性部材７０は弾性変形される。前記操作部材２０の制限壁２８は前記取付部材１０の端壁１６から離れ、前記一対の係合柱１６２は前記操作部材２０の制限壁２８の一対の貫通孔２８２から退出する。前記ボタン６０を押圧する力を除去すると、前記係止部材３０の一対の係合フック３６、及び前記押圧部材４０の一対の弾性押圧部４４の弾性が回復し、前記係止部材３０の一対の係合フック３６は前記取付部材１０の側壁１２と当接する。前記一対の固定部材５０の頭部は、前記係止部材３０の一対の係合フック３６の第二係止部３６４に係止され、前記ガイドレール固定装置がリリース状態となる。  
【００２２】
前記ガイドレール８０を前記支持部材９０に固定するには、前記支持部材９０を、前記取付部材１０の端壁１６と前記操作部材２０の制限壁２８との間に配置して、前記一対の係合柱１６２を前記支持部材９０の対応する貫通孔９２に挿入させる。次に、前記ボタン６０を押圧すると、前記係止部材３０の一対の係合フック３６を前記取付部材１０の側壁１２から離れる方向へ反らせて、前記一対の係合フック３６の第二係止部３６４と前記一対の固定部材５０とが分離する。前記弾性部材７０は、弾性回復するとともに前記操作部材２０を引っ張る方向に運動させ、前記一対の固定部材５０が前記取付部材１０の一対のガイドスロット１２２に沿って後に向かってスライディングする。前記操作部材２０の制限壁２８は前記支持部材９０と当接し、前記一対の係合柱１６２が前記操作部材２０の制限壁２８の一対の貫通孔２８２を貫く。前記ボタン６０を押圧する力を除去すると、前記係止部材３０の弾性が回復されるとともに、前記押圧部材４０の一対の弾性押圧部４４が前記係止部材３０の一対の係合フック３６に押圧される。前記係止部材３０の一対の係合フック３６が前記取付部材１０の側壁１２と当接し、且つ前記一対の固定部材５０の頭部が前記係止部材３０の一対の係合フック３６の第一係止部３６２で係止される。前記取付部材１０の一対の係合柱１６２は前記支持部材９０の対応する貫通孔９２から退出することができず、従って前記ガイドレール８０を前記支持部材９０に固定する。
【００２３】
前記ガイドレール８０を前記支持部材９０に固定する前の操作方式を用いて、前記支持部材９０から前記ガイドレール８０を取り外すことができる。
【００２４】
以上本発明を実施例に基づいて具体的に説明したが、本発明は、上述の実施例に限定されるものではなく、その要旨を逸脱しない範囲において、各種変更可能であることは勿論であって、本発明の保護範囲は、以下の特許請求の範囲から決まる。
【符号の説明】
【００２５】
１０  取付部材
１２、８２  側壁
１４、８４  フランジ
１６  端壁
１８、２４５  フック部
２０  操作部材
２２  第一側壁
２４  第二側壁
２６  底壁
２８  制限壁
３０  係止部材
３２、５２、６２  取付部
３４  延在アーム
３６  係合フック
４０  押圧部材
４２  取付壁
４４  弾性押圧部
５０  固定部材
６０  ボタン
７０  弾性部材
７２  フック
８０  ガイドレール
９０  支持部材
９２、１２４、２８２  貫通孔
１２２  ガイドスロット
１２６、８４２  固定柱
１２８、２２３、２４１、３２１、４２１  固定孔
１６２  係合柱
１８２  係合孔
２２１  開口
２４３、４２３  干渉防止孔
２８４  取っ手
３４１  連接孔
３６２  第一係止部
３６４  第二係止部
２４５２  ノッチ
【図１】
0005410851.tif 000002
【図２】
0005410851.tif 000003
【図３】
0005410851.tif 000004
【図４】
0005410851.tif 000005